(57)【要約】      （修正有）【課題】ストリーム数が９以上であることをＰＨＹフレームにおいて通信できるようにする。【解決手段】無線ネットワークにおいて、複数のアンテナを有し、複数のアンテナを介して、ＰＨＹプリアンブルとデータフィールドとを有する第１のフレームを送信する送信手段を有する通信装置は、送信されるＰＨＹプリアンブルは、Ｌ−ＳＴＦとＬ−ＬＴＦとＬ−ＳＩＧとＥＨＴ−ＳＩＧ−ＡとＥＨＴ−ＳＴＦとＥＨＴ−ＬＴＦとをこの順に有する。ＥＨＴ−ＳＩＧ−Ａは、Ｓｐａｃｅ−Ｔｉｍｅ  Ｓｔｒｅａｍの数を示す４ビット以上のフィールドを含み、データフィールドはＳｐａｃｅ−Ｔｉｍｅ  Ｓｔｒｅａｍの数のストリームにより送信されるデータを含む。【選択図】図３
2020141324.tif 000002
【特許請求の範囲】
【請求項１】
通信装置であって、
ＰＨＹプリアンブルとデータフィールドとを有する第１のフレームを送信する送信手段を有し、
前記ＰＨＹプリアンブルは、
Ｌｅｇａｃｙ  Ｓｈｏｒｔ  Ｔｒａｉｎｉｎｇ  Ｆｉｅｌｄ（Ｌ−ＳＴＦ）と、
Ｌｅｇａｃｙ  Ｌｏｎｇ  Ｔｒａｉｎｉｎｇ  Ｆｉｅｌｄ（Ｌ−ＬＴＦ）と、
Ｌｅｇａｃｙ  Ｓｉｇｎａｌ  Ｆｉｅｌｄ（Ｌ−ＳＩＧ）と、
Ｅｘｔｒｅｍｅｌｙ  Ｈｉｇｈ  Ｔｈｒｏｕｇｈｐｕｔ（ＥＨＴ）  Ｓｉｇｎａｌ  Ａ  Ｆｉｅｌｄ（ＥＨＴ−ＳＩＧ−Ａ）と、
ＥＨＴ  Ｓｈｏｒｔ  Ｔｒａｉｎｉｎｇ  Ｆｉｅｌｄ（ＥＨＴ−ＳＴＦ）と、
ＥＨＴ  Ｌｏｎｇ  Ｔｒａｉｎｉｎｇ  Ｆｉｅｌｄ（ＥＨＴ−ＬＴＦ）と、
を、この順に有し、
前記ＥＨＴ−ＳＩＧ−Ａは、Ｓｐａｃｅ−Ｔｉｍｅ  Ｓｔｒｅａｍの数を示す４ビット以上のフィールドを含み、
前記データフィールドは、前記Ｓｐａｃｅ−Ｔｉｍｅ  Ｓｔｒｅａｍの数のストリームにより送信されるデータを含むことを特徴とする通信装置。
【請求項２】
前記ＰＨＹプリアンブルは、前記Ｌ−ＳＩＧと前記ＥＨＴ−ＳＩＧ−Ａとの間に、Ｒｅｐｅａｔｅｄ  Ｌｅｇａｃｙ  Ｓｉｇｎａｌ  Ｆｉｅｌｄ（ＲＬ−ＳＩＧ）を更に有することを特徴とする請求項１に記載の通信装置。
【請求項３】
前記通信装置は、更に複数のアンテナを有し、
前記送信手段は、前記複数のアンテナを介して、前記第１のフレームを送信することを特徴とする請求項１または２に記載の通信装置。
【請求項４】
前記第１のフレームは、ＥＨＴ  ＳＵ（Ｓｉｎｇｌｅ  Ｕｓｅｒ）  ＰＰＤＵ（Ｐｈｙｓｉｃａｌ  ｌａｙｅｒ  Ｐｒｏｔｏｃｏｌ  Ｄａｔａ  Ｕｎｉｔ）であることを特徴とする請求項１から３のいずれか１項に記載の通信装置。
【請求項５】
前記第１のフレームは、ＥＨＴ  ＥＲ（Ｅｘｔｅｎｄｅｄ  Ｒａｎｇｅ）  ＳＵ（Ｓｉｎｇｌｅ  Ｕｓｅｒ）  ＰＰＤＵ（Ｐｈｙｓｉｃａｌ  ｌａｙｅｒ  Ｐｒｏｔｏｃｏｌ  Ｄａｔａ  Ｕｎｉｔ）であることを特徴とする請求項１から３のいずれか１項に記載の通信装置。
【請求項６】
前記送信手段は、ＰＨＹプリアンブルとデータフィールドとを有する第２のフレームとして、ＥＨＴ  ＭＵ（Ｍｕｌｔｉ  Ｕｓｅｒ）  ＰＰＤＵ（Ｐｈｙｓｉｃａｌ  ｌａｙｅｒ  Ｐｒｏｔｏｃｏｌ  Ｄａｔａ  Ｕｎｉｔ）を送信し、
当該第２のフレームのＰＨＹプリアンブルのＥＨＴ−ＳＩＧ−Ａには、Ｓｐａｃｅ−Ｔｉｍｅ  Ｓｔｒｅａｍの数を示す４ビット以上のフィールドは存在しないことを特徴とする請求項１から５のいずれか１項に記載の通信装置。
【請求項７】
前記ＥＨＴ−ＳＩＧ−Ａにおいて、Ｓｐａｃｅ−Ｔｉｍｅ  Ｓｔｒｅａｍの数を示すフィールドは４ビットであることを特徴とする請求項１から６のいずれか１項に記載の通信装置。
【請求項８】
前記ＥＨＴ−ＳＩＧ−Ａにおいて、Ｓｐａｃｅ−Ｔｉｍｅ  Ｓｔｒｅａｍの数を示すフィールドに、Ｓｐａｃｅ−Ｔｉｍｅ  Ｓｔｒｅａｍの数として１６を示す情報が格納されることを特徴とする請求項１から７のいずれか１項に記載の通信装置。
【請求項９】
通信装置であって、
ＰＨＹプリアンブルとデータフィールドとを有するフレームを受信する受信手段と、
前記受信手段により受信された前記フレームを処理する処理手段と、
を有し、
前記ＰＨＹプリアンブルは、
Ｌｅｇａｃｙ  Ｓｈｏｒｔ  Ｔｒａｉｎｉｎｇ  Ｆｉｅｌｄ（Ｌ−ＳＴＦ）と、
Ｌｅｇａｃｙ  Ｌｏｎｇ  Ｔｒａｉｎｉｎｇ  Ｆｉｅｌｄ（Ｌ−ＬＴＦ）と、
Ｌｅｇａｃｙ  Ｓｉｇｎａｌ  Ｆｉｅｌｄ（Ｌ−ＳＩＧ）と、
Ｅｘｔｒｅｍｅｌｙ  Ｈｉｇｈ  Ｔｈｒｏｕｇｈｐｕｔ（ＥＨＴ）  Ｓｉｇｎａｌ  Ａ  Ｆｉｅｌｄ（ＥＨＴ−ＳＩＧ−Ａ）と、
ＥＨＴ  Ｓｈｏｒｔ  Ｔｒａｉｎｉｎｇ  Ｆｉｅｌｄ（ＥＨＴ−ＳＴＦ）と、
ＥＨＴ  Ｌｏｎｇ  Ｔｒａｉｎｉｎｇ  Ｆｉｅｌｄ（ＥＨＴ−ＬＴＦ）と、
を、この順に有し、
前記ＥＨＴ−ＳＩＧ−Ａは、Ｓｐａｃｅ−Ｔｉｍｅ  Ｓｔｒｅａｍの数を示す４ビット以上のフィールドを含み、
前記処理手段は、前記データフィールドに含まれ、前記Ｓｐａｃｅ−Ｔｉｍｅ  Ｓｔｒｅａｍの数のストリームにより送信されたデータを処理することを特徴とする通信装置。
【請求項１０】
前記通信装置は、更に複数のアンテナを有し、
前記受信手段は、前記複数のアンテナを介して、前記フレームを受信することを特徴とする請求項９に記載の通信装置。
【請求項１１】
情報処理装置であって、
Ｌｅｇａｃｙ  Ｓｈｏｒｔ  Ｔｒａｉｎｉｎｇ  Ｆｉｅｌｄ（Ｌ−ＳＴＦ）と、
Ｌｅｇａｃｙ  Ｌｏｎｇ  Ｔｒａｉｎｉｎｇ  Ｆｉｅｌｄ（Ｌ−ＬＴＦ）と、
Ｌｅｇａｃｙ  Ｓｉｇｎａｌ  Ｆｉｅｌｄ（Ｌ−ＳＩＧ）と、
Ｅｘｔｒｅｍｅｌｙ  Ｈｉｇｈ  Ｔｈｒｏｕｇｈｐｕｔ（ＥＨＴ）  Ｓｉｇｎａｌ  Ａ  Ｆｉｅｌｄ（ＥＨＴ−ＳＩＧ−Ａ）と、
ＥＨＴ  Ｓｈｏｒｔ  Ｔｒａｉｎｉｎｇ  Ｆｉｅｌｄ（ＥＨＴ−ＳＴＦ）と、
ＥＨＴ  Ｌｏｎｇ  Ｔｒａｉｎｉｎｇ  Ｆｉｅｌｄ（ＥＨＴ−ＬＴＦ）と、
を、この順に有し、
前記ＥＨＴ−ＳＩＧ−Ａに、Ｓｐａｃｅ−Ｔｉｍｅ  Ｓｔｒｅａｍの数を示す４ビット以上のフィールドを含むＰＨＹプリアンブルを有するフレームを生成する生成手段を有することを特徴とする情報処理装置。
【請求項１２】
通信装置の制御方法であって、
Ｌｅｇａｃｙ  Ｓｈｏｒｔ  Ｔｒａｉｎｉｎｇ  Ｆｉｅｌｄ（Ｌ−ＳＴＦ）と、
Ｌｅｇａｃｙ  Ｌｏｎｇ  Ｔｒａｉｎｉｎｇ  Ｆｉｅｌｄ（Ｌ−ＬＴＦ）と、
Ｌｅｇａｃｙ  Ｓｉｇｎａｌ  Ｆｉｅｌｄ（Ｌ−ＳＩＧ）と、
Ｅｘｔｒｅｍｅｌｙ  Ｈｉｇｈ  Ｔｈｒｏｕｇｈｐｕｔ（ＥＨＴ）  Ｓｉｇｎａｌ  Ａ  Ｆｉｅｌｄ（ＥＨＴ−ＳＩＧ−Ａ）と、
ＥＨＴ  Ｓｈｏｒｔ  Ｔｒａｉｎｉｎｇ  Ｆｉｅｌｄ（ＥＨＴ−ＳＴＦ）と、
ＥＨＴ  Ｌｏｎｇ  Ｔｒａｉｎｉｎｇ  Ｆｉｅｌｄ（ＥＨＴ−ＬＴＦ）と、
を、この順に有し、
前記ＥＨＴ−ＳＩＧ−Ａに、Ｓｐａｃｅ−Ｔｉｍｅ  Ｓｔｒｅａｍの数を示す４ビット以上のフィールドを含むＰＨＹプリアンブルと、
前記Ｓｐａｃｅ−Ｔｉｍｅ  Ｓｔｒｅａｍの数のストリームにより送信されるデータを含むデータフィールドと、
を含むフレームを送信する送信工程を有することを特徴とする制御方法。
【請求項１３】
通信装置の制御方法であって、
ＰＨＹプリアンブルとデータフィールドとを有するフレームを受信する受信工程と、
前記受信工程において受信された前記フレームを処理する処理工程と、
を有し、
前記ＰＨＹプリアンブルは、
Ｌｅｇａｃｙ  Ｓｈｏｒｔ  Ｔｒａｉｎｉｎｇ  Ｆｉｅｌｄ（Ｌ−ＳＴＦ）と、
Ｌｅｇａｃｙ  Ｌｏｎｇ  Ｔｒａｉｎｉｎｇ  Ｆｉｅｌｄ（Ｌ−ＬＴＦ）と、
Ｌｅｇａｃｙ  Ｓｉｇｎａｌ  Ｆｉｅｌｄ（Ｌ−ＳＩＧ）と、
Ｅｘｔｒｅｍｅｌｙ  Ｈｉｇｈ  Ｔｈｒｏｕｇｈｐｕｔ（ＥＨＴ）  Ｓｉｇｎａｌ  Ａ  Ｆｉｅｌｄ（ＥＨＴ−ＳＩＧ−Ａ）と、
ＥＨＴ  Ｓｈｏｒｔ  Ｔｒａｉｎｉｎｇ  Ｆｉｅｌｄ（ＥＨＴ−ＳＴＦ）と、
ＥＨＴ  Ｌｏｎｇ  Ｔｒａｉｎｉｎｇ  Ｆｉｅｌｄ（ＥＨＴ−ＬＴＦ）と、
を、この順に有し、
前記ＥＨＴ−ＳＩＧ−Ａは、Ｓｐａｃｅ−Ｔｉｍｅ  Ｓｔｒｅａｍの数を示す４ビット以上のフィールドを含み、
前記処理工程は、前記データフィールドに含まれ、前記Ｓｐａｃｅ−Ｔｉｍｅ  Ｓｔｒｅａｍの数のストリームにより送信されたデータを処理することを特徴とする通信装置。
【請求項１４】
情報処理装置の制御方法であって、
Ｌｅｇａｃｙ  Ｓｈｏｒｔ  Ｔｒａｉｎｉｎｇ  Ｆｉｅｌｄ（Ｌ−ＳＴＦ）と、
Ｌｅｇａｃｙ  Ｌｏｎｇ  Ｔｒａｉｎｉｎｇ  Ｆｉｅｌｄ（Ｌ−ＬＴＦ）と、
Ｌｅｇａｃｙ  Ｓｉｇｎａｌ  Ｆｉｅｌｄ（Ｌ−ＳＩＧ）と、
Ｅｘｔｒｅｍｅｌｙ  Ｈｉｇｈ  Ｔｈｒｏｕｇｈｐｕｔ（ＥＨＴ）  Ｓｉｇｎａｌ  Ａ  Ｆｉｅｌｄ（ＥＨＴ−ＳＩＧ−Ａ）と、
ＥＨＴ  Ｓｈｏｒｔ  Ｔｒａｉｎｉｎｇ  Ｆｉｅｌｄ（ＥＨＴ−ＳＴＦ）と、
ＥＨＴ  Ｌｏｎｇ  Ｔｒａｉｎｉｎｇ  Ｆｉｅｌｄ（ＥＨＴ−ＬＴＦ）と、
を、この順に有し、
前記ＥＨＴ−ＳＩＧ−Ａに、Ｓｐａｃｅ−Ｔｉｍｅ  Ｓｔｒｅａｍの数を示す４ビット以上のフィールドを含むＰＨＹプリアンブルを有するフレームを生成する生成工程を有することを特徴とする制御方法。
【請求項１５】
コンピュータを請求項１から１０のいずれか１項に記載の通信装置、もしくは、請求項１１に記載の情報処理装置として動作させるためのプログラム。
【発明の詳細な説明】
【技術分野】
【０００１】
本発明は、ＩＥＥＥ８０２．１１シリーズ規格に準拠した装置に関する。
【背景技術】
【０００２】
無線ＬＡＮ（Ｗｉｒｅｌｅｓｓ  Ｌｏｃａｌ  Ａｒｅａ  Ｎｅｔｗｏｒｋ）に関する通信規格としてＩＥＥＥ８０２．１１シリーズ規格が知られている。ＩＥＥＥ８０２．１１ａｘ規格では、複数のアンテナを用いて通信するＭＩＭＯ技術を用いて高いピークスループットを実現している（特許文献１）。なお、ＭＩＭＯとは、Ｍｕｌｔｉ−Ｉｎｐｕｔ  Ｍｕｌｔｉ−Ｏｕｔｐｕｔの略である。
【０００３】
現在、更なるスループット向上のためにＩＥＥＥ８０２．１１ａｘ規格の後継規格として、ＩＥＥＥ８０２．１１  ＥＨＴ（Ｅｘｔｒｅｍｅｌｙ  Ｈｉｇｈ  Ｔｈｒｏｕｇｈｐｕｔ）と呼ばれるＳｔｕｄｙ  Ｇｒｏｕｐが発足している。
【先行技術文献】
【特許文献】
【０００４】
【特許文献１】特開２０１８−５０１３３号公報
【発明の概要】
【発明が解決しようとする課題】
【０００５】
ＥＨＴが目指すスループット向上の方策の１つとして、ＭＩＭＯ方式の空間ストリーム（Ｓｐａｃｅ−Ｔｉｍｅ  Ｓｔｒｅａｍ、以下ＳＳ）の数を最大１６にすることが検討されている。
【０００６】
しかし、従来においては、ストリームの数が９以上であることを通知できるＰＨＹプリアンブル構成が存在せず、ストリーム数が例えば１６であることをＰＨＹプリアンブルにおいて通知することができなかった。
【０００７】
上記課題を鑑み、本発明は、ストリーム数が９以上であることをＰＨＹフレームにおいて通信できるようにすることを目的とする。
【課題を解決するための手段】
【０００８】
本発明の通信装置は、ＰＨＹプリアンブルとデータフィールドとを有する第１のフレームを送信する送信手段を有し、前記ＰＨＹプリアンブルは、Ｌｅｇａｃｙ  Ｓｈｏｒｔ  Ｔｒａｉｎｉｎｇ  Ｆｉｅｌｄ（Ｌ−ＳＴＦ）と、Ｌｅｇａｃｙ  Ｌｏｎｇ  Ｔｒａｉｎｉｎｇ  Ｆｉｅｌｄ（Ｌ−ＬＴＦ）と、Ｌｅｇａｃｙ  Ｓｉｇｎａｌ  Ｆｉｅｌｄ（Ｌ−ＳＩＧ）と、Ｅｘｔｒｅｍｅｌｙ  Ｈｉｇｈ  Ｔｈｒｏｕｇｈｐｕｔ（ＥＨＴ）  Ｓｉｇｎａｌ  Ａ  Ｆｉｅｌｄ（ＥＨＴ−ＳＩＧ−Ａ）と、ＥＨＴ  Ｓｈｏｒｔ  Ｔｒａｉｎｉｎｇ  Ｆｉｅｌｄ（ＥＨＴ−ＳＴＦ）と、ＥＨＴ  Ｌｏｎｇ  Ｔｒａｉｎｉｎｇ  Ｆｉｅｌｄ（ＥＨＴ−ＬＴＦ）と、を、この順に有し、前記ＥＨＴ−ＳＩＧ−Ａは、Ｓｐａｃｅ−Ｔｉｍｅ  Ｓｔｒｅａｍの数を示す４ビット以上のフィールドを含み、前記データフィールドは、前記Ｓｐａｃｅ−Ｔｉｍｅ  Ｓｔｒｅａｍの数のストリームにより送信されるデータを含む。
【０００９】
また、本発明の別の側面の通信装置は、ＰＨＹプリアンブルとデータフィールドとを有するフレームを受信する受信手段と、前記受信手段により受信された前記フレームを処理する処理手段と、を有し、前記ＰＨＹプリアンブルは、Ｌｅｇａｃｙ  Ｓｈｏｒｔ  Ｔｒａｉｎｉｎｇ  Ｆｉｅｌｄ（Ｌ−ＳＴＦ）と、Ｌｅｇａｃｙ  Ｌｏｎｇ  Ｔｒａｉｎｉｎｇ  Ｆｉｅｌｄ（Ｌ−ＬＴＦ）と、Ｌｅｇａｃｙ  Ｓｉｇｎａｌ  Ｆｉｅｌｄ（Ｌ−ＳＩＧ）と、Ｅｘｔｒｅｍｅｌｙ  Ｈｉｇｈ  Ｔｈｒｏｕｇｈｐｕｔ（ＥＨＴ）  Ｓｉｇｎａｌ  Ａ  Ｆｉｅｌｄ（ＥＨＴ−ＳＩＧ−Ａ）と、ＥＨＴ  Ｓｈｏｒｔ  Ｔｒａｉｎｉｎｇ  Ｆｉｅｌｄ（ＥＨＴ−ＳＴＦ）と、ＥＨＴ  Ｌｏｎｇ  Ｔｒａｉｎｉｎｇ  Ｆｉｅｌｄ（ＥＨＴ−ＬＴＦ）と、を、この順に有し、前記ＥＨＴ−ＳＩＧ−Ａは、Ｓｐａｃｅ−Ｔｉｍｅ  Ｓｔｒｅａｍの数を示す４ビット以上のフィールドを含み、前記処理手段は、前記データフィールドに含まれ、前記Ｓｐａｃｅ−Ｔｉｍｅ  Ｓｔｒｅａｍの数のストリームにより送信されたデータを処理する。
【００１０】
また、本発明の別の側面の情報処理装置は、Ｌｅｇａｃｙ  Ｓｈｏｒｔ  Ｔｒａｉｎｉｎｇ  Ｆｉｅｌｄ（Ｌ−ＳＴＦ）と、Ｌｅｇａｃｙ  Ｌｏｎｇ  Ｔｒａｉｎｉｎｇ  Ｆｉｅｌｄ（Ｌ−ＬＴＦ）と、Ｌｅｇａｃｙ  Ｓｉｇｎａｌ  Ｆｉｅｌｄ（Ｌ−ＳＩＧ）と、Ｅｘｔｒｅｍｅｌｙ  Ｈｉｇｈ  Ｔｈｒｏｕｇｈｐｕｔ（ＥＨＴ）  Ｓｉｇｎａｌ  Ａ  Ｆｉｅｌｄ（ＥＨＴ−ＳＩＧ−Ａ）と、ＥＨＴ  Ｓｈｏｒｔ  Ｔｒａｉｎｉｎｇ  Ｆｉｅｌｄ（ＥＨＴ−ＳＴＦ）と、ＥＨＴ  Ｌｏｎｇ  Ｔｒａｉｎｉｎｇ  Ｆｉｅｌｄ（ＥＨＴ−ＬＴＦ）と、を、この順に有し、前記ＥＨＴ−ＳＩＧ−Ａは、Ｓｐａｃｅ−Ｔｉｍｅ  Ｓｔｒｅａｍの数を示す４ビット以上のフィールドを含むＰＨＹプリアンブルを有するフレームを生成する生成手段を有する。
【発明の効果】
【００１１】
本発明によれば、ストリーム数が９以上であることをＰＨＹフレームにおいて通信できる。
【図面の簡単な説明】
【００１２】
【図１】ネットワーク構成図
【図２】通信装置のハードウェア構成図
【図３】ＥＨＴ  ＳＵ  ＰＰＤＵのＰＨＹフレーム構成を示す図
【図４】ＥＨＴ  ＥＲ  ＳＵ  ＰＰＤＵのＰＨＹフレーム構成を示す図
【発明を実施するための形態】
【００１３】
図１に、本実施形態にかかるネットワーク構成例を示す。図１の無線通信システムは、基地局１０２と、複数のステーション（以下、ＳＴＡ）１０３、１０４、１０５とから構成される無線ネットワークである。ここで、基地局１０２とは、例えばＩＥＥＥ８０２．１１シリーズ規格に準拠したＡｃｃｅｓｓ  Ｐｏｉｎｔ（以下、ＡＰ）である。しかし、これに限らず、基地局１０２がＷｉ−Ｆｉ  Ｄｉｒｅｃｔ規格に準拠したＧｒｏｕｐ  Ｏｗｎｅｒ（以下、ＧＯ）であってもよい。基地局１０２がＧＯである場合、複数のＳＴＡ１０３〜１０５はＣｌｉｅｎｔとも呼ばれる。なお、ＩＥＥＥは、Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓの略である。
【００１４】
基地局１０２は、無線ネットワーク１０１を構築し、無線ネットワークの識別情報を含むビーコンを送信する。ここで、図１における無線ネットワーク１０１として示される点線は、基地局１０２が送信する信号が到達する範囲を示しており、基地局１０２は、当該点線の範囲内にあるＳＴＡと通信可能である。また、基地局１０２は、中継機能を有していてもよい。
【００１５】
基地局１０２は、ＳＴＡからのＰｒｏｂｅ  Ｒｅｑｕｅｓｔ信号（探索要求）を受信した場合、応答として、当該識別情報を含むＰｒｏｂｅ  Ｒｅｓｐｏｎｓｅ信号（探索応答）を送信する。なお、無線ネットワークの識別情報とは例えば、Ｓｅｒｖｉｃｅ  Ｓｅｔ  Ｉｄｅｎｔｉｆｉｅｒ（以下、ＳＳＩＤ）である。
【００１６】
また、基地局１０２は、ＩＥＥＥ８０２．１１  ＥＨＴ規格の無線通信方式に従って、各ＳＴＡ１０３〜１０５と通信する。基地局１０２は、各ＳＴＡ１０３〜１０５と所定のアソシエーションプロセス等を介して無線リンクを確立する。また基地局１０２と各ＳＴＡ１０３〜１０５は複数のアンテナを有し、ＭＩＭＯ通信による高スループットのデータ伝送が可能である。例えば、基地局１０２とＳＴＡの各々が１６本のアンテナを有している場合は、基地局１０２と当該ＳＴＡとの間の通信で、１６ストリーム（Ｓｐａｃｅ−Ｔｉｍｅ  Ｓｔｒｅａｍ）のＭＩＭＯ通信が可能である。
【００１７】
ここで、ＭＩＭＯとは、Ｍｕｌｔｉ−Ｉｎｐｕｔ  Ｍｕｌｔｉ−Ｏｕｔｐｕｔの略であり、単一もしくは複数の通信装置の有する複数のアンテナが、同時刻に同チャンネルを用いることでチャンネルリソースの利用効率を向上させる技術である。本実施形態では当該ＭＩＭＯの技術を用いた通信をＭＩＭＯ通信と呼ぶ。
【００１８】
特に、基地局１０２と１台のＳＴＡとの間で行われるＭＩＭＯ通信を単一ユーザＭＩＭＯ（Ｓｉｎｇｌｅ  Ｕｓｅｒ  ＭＩＭＯ、以下ＳＵ  ＭＩＭＯ）と呼ぶ。一方、基地局１０２と複数ＳＴＡ間との間で行われるＭＩＭＯ通信を複数ユーザＭＩＭＯ（Ｍｕｌｔｉ  Ｕｓｅｒ  ＭＩＭＯ、以下ＭＵ  ＭＩＭＯ）と呼ぶ。
【００１９】
図２に、基地局１０２、および、ＳＴＡ１０３〜１０５の各々（以下、まとめて通信装置と称する）が有するハードウェア構成を示す。通信装置は、記憶部２０１、制御部２０２、機能部２０３、入力部２０４、出力部２０５、通信部２０６及び複数のアンテナ２０７を有する。
【００２０】
記憶部２０１はＲＯＭやＲＡＭ等の１以上のメモリにより構成され、後述する各種動作を行うためのプログラムや、無線通信のための通信パラメータ等の各種情報を記憶する。なお、記憶部２０１として、ＲＯＭ、ＲＡＭ等のメモリの他に、フレキシブルディスク、ハードディスク、光ディスク、光磁気ディスク、ＣＤ−ＲＯＭ、ＣＤ−Ｒ、磁気テープ、不揮発性のメモリカード、ＤＶＤなどの記憶媒体を用いてもよい。また、記憶部２０１が複数のメモリ等を備えていてもよい。
【００２１】
制御部２０２は、例えばＣＰＵやＭＰＵ等の１以上のプロセッサ、ＡＳＩＣ（特定用途向け集積回路）、ＤＳＰ（デジタルシグナルプロセッサ）、ＦＰＧＡ（フィールドプログラマブルゲートアレイ）等により構成される。ここで、ＣＰＵはＣｅｎｔｒａｌ  Ｐｒｏｃｅｓｓｉｎｇ  Ｕｎｉｔの、ＭＰＵは、Ｍｉｃｒｏ  Ｐｒｏｃｅｓｓｉｎｇ  Ｕｎｉｔの頭字語である。記憶部２０１に記憶されたプログラムを実行することにより、通信装置を制御する。なお、制御部２０２は、記憶部２０１に記憶されたプログラムとＯＳ（Ｏｐｅｒａｔｉｎｇ  Ｓｙｓｔｅｍ）との協働により、通信装置を制御するようにしてもよい。また、制御部２０２がマルチコア等の複数のプロセッサから成り、通信装置を制御するようにしてもよい。
【００２２】
また、制御部２０２は、機能部２０３を制御して、所定の機能を実行させる。所定の機能とは、例えば、通信装置がカメラであれば撮像機能である。また、例えば、通信装置がプリンタであれば印刷機能である。また、例えば、通信装置がプロジェクタであれば投影機能である。所定の機能はこれらに限らず、種々の機能が考えられる。なお、機能部２０３は、当該所定の機能を実行するためのハードウェアである。
【００２３】
入力部２０４は、ユーザからの各種操作の受付を行う。出力部２０５は、ユーザに対して各種出力を行う。ここで、出力部２０５による出力とは、画面上への表示や、スピーカによる音声出力、振動出力等の少なくともひとつを含む。なお、タッチパネルのように入力部２０４と出力部２０５の両方を１つのモジュールで実現するようにしてもよい。
【００２４】
通信部２０６は、ＩＥＥＥ８０２．１１  ＥＨＴ規格に準拠した無線通信の制御や、Ｗｉ−Ｆｉに準拠した無線通信の制御、ＩＰ（Ｉｎｔｅｒｎｅｔ  Ｐｒｏｔｏｃｏｌ）通信の制御等を行う。また、通信部２０６はアンテナ２０７を制御して、無線通信のための無線信号の送受信を行う。アンテナ２０７はＩＥＥＥ８０２．１１  ＥＨＴ規格の１６ストリームのＭＩＭＯ通信に対応するため、ここでは１６本のアンテナを有する。なお、アンテナ２０７の本数は１６本に限られない。
【００２５】
次に、本実施形態において通信装置が、ＩＥＥＥ８０２．１１  ＥＨＴ規格に準拠した無線通信のために送受信するフレーム構成について、図３および図４を用いて説明する。図３は、当該フレームの第１の例としてのＥＨＴ  ＳＵ（Ｓｉｎｇｌｅ  Ｕｓｅｒ）  ＰＰＤＵ（Ｐｈｙｓｉｃａｌ  ｌａｙｅｒ  Ｐｒｏｔｏｃｏｌ  Ｄａｔａ  Ｕｎｉｔ）である。ＥＨＴ  ＳＵ  ＰＰＤＵは、ＳＵ  ＭＩＭＯ通信を行う場合に用いられるフレームである。なお、Ｐｈｙｓｉｃａｌ  ｌａｙｅｒを略してＰＨＹと呼ぶ。
【００２６】
図４は、第２のフレーム例としてのＥＨＴ  ＥＲ（Ｅｘｔｅｎｄｅｄ  Ｒａｎｇｅ）  ＳＵ（Ｓｉｎｇｌｅ  Ｕｓｅｒ）  ＰＰＤＵ（Ｐｈｙｓｉｃａｌ  ｌａｙｅｒ  Ｐｒｏｔｏｃｏｌ  Ｄａｔａ  Ｕｎｉｔ）である。ＥＨＴ  ＥＲ  ＳＵ  ＰＰＤＵは、通信距離を拡張した上でＳＵ  ＭＩＭＯ通信を行う場合に用いられるフレームである。これらを総称してＥＨＴ  ＰＰＤＵと称する。
【００２７】
ＥＨＴ  ＰＰＤＵは、物理レイヤ（Ｐｈｙｓｉｃａｌ  Ｌａｙｅｒ、以下ＰＨＹ）プリアンブルとデータフィールドとを有する。ＰＨＹプリアンブルは、ＳＴＦ（Ｓｈｏｒｔ  Ｔｒａｉｎｉｎｇ  Ｆｉｅｌｄ）、ＬＴＦ（Ｌｏｎｇ  Ｔｒａｉｎｉｎｇ  Ｆｉｅｌｄ）、および、ＳＩＧ（Ｓｉｇｎａｌ  Ｆｉｅｌｄ）を含む。
【００２８】
まず、図３を用いてＥＨＴ  ＳＵ  ＰＰＤＵのフレーム構成について説明する。図３のＥＨＴ  ＳＵ  ＰＰＤＵはＳＵ  ＭＩＭＯ通信で用いられるＰＰＤＵである。
【００２９】
ＥＨＴ  ＳＵ  ＰＰＤＵの先頭には、ＰＨＹプリアンブルが配置される。ＰＨＹプリアンブルには、レガシーデバイスとの後方互換性を保つために、先頭からＬ−ＳＴＦ３０１、Ｌ−ＬＴＦ３０２、および、Ｌ−ＳＩＧ３０３が、この順に配置される。ここで、レガシーデバイスとは、Ｎｏｎ−ＥＨＴデバイス（ＥＨＴ規格に準拠していないデバイス）、即ち、ＩＥＥＥ８０２．１１ａ／ｂ／ｇ／ｎ／ａｃ／ａｘのいずれかの規格に準拠したデバイスのことである。
【００３０】
また、Ｌ−ＳＴＦは、Ｌｅｇａｃｙ  Ｓｈｏｒｔ  Ｔｒａｉｎｉｎｇ  Ｆｉｅｌｄの略であり、ＰＨＹフレーム信号の検出、自動利得制御（ＡＧＣ：ａｕｔｏｍａｔｉｃ  ｇａｉｎ  ｃｏｎｔｒｏｌ）やタイミング検出などに用いられる。
【００３１】
Ｌ−ＳＴＦ３０１の直後にはＬ−ＬＴＦ３０２が配置される。Ｌ−ＬＴＦは、Ｌｅｇａｃｙ  Ｌｏｎｇ  Ｔｒａｉｎｉｎｇ  Ｆｉｅｌｄの略であり、高精度な周波数および時刻の同期や伝搬チャンネル情報（ＣＳＩ）の取得などに用いられる。なお、ＣＳＩとは、Ｃｈａｎｎｎｅｌ  Ｓｔａｔｅ  Ｉｎｆｏｒｍａｔｉｏｎの略である。
【００３２】
また、Ｌ−ＬＴＦ３０２の直後にはＬ−ＳＩＧ３０３が配置される。Ｌ−ＳＩＧは、Ｌｅｇａｃｙ  Ｓｉｇｎａｌ  Ｆｉｅｌｄの略であり、データ送信率やＰＨＹフレーム長の情報を含んだ制御情報を送信するために用いられる。
【００３３】
上記各種レガシーフィールド（Ｌ−ＳＴＦ３０１、Ｌ−ＬＴＦ３０２、および、Ｌ−ＳＩＧ３０３）は、ＩＥＥＥ８０２．１１ａ／ｂ／ｇ／ｎ／ａｃ／ａｘのフレームと共通の構成としている。これにより、レガシーデバイスは、上記各種レガシーフィールドのデータを復号することが可能である。
【００３４】
Ｌ−ＳＩＧ３０３の直後には、ＥＨＴ−ＳＩＧ−Ａ３０５が配置される。ＥＨＴ−ＳＩＧ−Ａは、Ｅｘｔｒｅｍｅｌｙ  Ｈｉｇｈ  Ｔｈｒｏｕｇｈｐｕｔ（ＥＨＴ）  Ｓｉｇｎａｌ  Ａ  Ｆｉｅｌｄの略であり、ＥＨＴ−ＳＩＧ−Ａ１とＥＨＴ−ＳＩＧ−Ａ２とを、この順に含んで構成される。ＥＨＴ−ＳＩＧ−Ａ１は表１に示す情報を、ＥＨＴ−ＳＩＧ−Ａ２は表２に示す情報を、各々含む。これらの情報は、ＥＨＴ  ＰＰＤＵの受信処理に用いられる。
【００３５】
なお、Ｌ−ＳＩＧ３０３とＥＨＴ−ＳＩＧ−Ａ３０５との間に、ＲＬ−ＳＩＧ３０４を配置するようにしてもよい。ＲＬ−ＳＩＧ３０４は、Ｒｅｐｅａｔｅｄ  Ｌ−ＳＩＧの略であり、Ｌ−ＳＩＧ３０３と同じ内容を含むフィールドである。
【００３６】
【表１】
2020141324.tif 000003
【００３７】
【表２】
2020141324.tif 000004
【００３８】
ここで、ＥＨＴ−ＳＩＧ−Ａ１に含まれるＳｐａｃｅ−Ｔｉｍｅ  Ｓｔｒｅａｍ（ＳＳ）の数、即ち、ストリーム数を示すフィールドについて説明する。ここでは、当該フィールドをＮＳＴＳ  Ａｎｄ  Ｍｉｄａｍｂｌｅ  Ｐｅｒｉｏｄｉｃｉｔｙフィールドと呼ぶ。ＮＳＴＳ  Ａｎｄ  Ｍｉｄａｍｂｌｅ  Ｐｅｒｉｏｄｉｃｉｔｙフィールドは４ビットからなり、ＥＨＴ−ＳＩＧ−Ａ１の先頭ビットから２３ビット後を示すＢ２３からＢ２６に位置する。
【００３９】
当該フィールドが示すストリーム数は、ＥＨＴ−ＳＩＧ−Ａ２のＤｏｐｐｌｅｒフィールドの値によって取り得る値が異なる。Ｄｏｐｐｌｅｒフィールドの値が０の場合は、チャネル変動が小さいことを示し、１〜１６までのストリーム数を設定することができる。なお、ここでは、当該フィールドには、実際のストリーム数から１を引いた値を格納する。即ち、例えば１ストリームを表す場合には４ビットの全てを「０」とし、また例えば１６ストリームを表す場合には、４ビットの全てを「１」として格納する。
【００４０】
一方、Ｄｏｐｐｌｅｒフィールドの値が１の場合は、チャネル変動が大きいことを示し、設定されるストリーム数は１〜８までに制限される。この場合には前半３ビットしかストリームの数を示さないことになる。なお、この場合であっても、ＮＳＴＳ  Ａｎｄ  Ｍｉｄａｍｂｌｅ  Ｐｅｒｉｏｄｉｃｉｔｙフィールドにおける最後の１ビットがミッドアンブル周期を示すため、フィールド長としては４ビットが確保される。
【００４１】
なお、Ｄｏｐｐｌｅｒフィールドの値によらず、ＳＳ数を１〜１６まで設定できるようにしてもよい。
【００４２】
また、本実施形態ではＮＳＴＳ  Ａｎｄ  Ｍｉｄａｍｂｌｅ  Ｐｅｒｉｏｄｉｃｉｔｙフィールドに４ビットを割り当てているため、示すことのできる最大のストリーム数は１６となる。しかし、ＩＥＥＥ  ８０２．１１  ＥＨＴ規格の更に後継規格における拡張を想定して、５ビット以上を割り当て１６より更に大きい数のストリーム数を示せるようにしてもよい。このようにＮＳＴＳ  Ａｎｄ  Ｍｉｄａｍｂｌｅ  Ｐｅｒｉｏｄｉｃｉｔｙフィールドに４ビット以上を割り当てることにより、９以上のストリーム数を示すことができる。
【００４３】
このようなストリーム数の情報を含むＥＨＴ−ＳＩＧ−Ａ３０５の直後には、ＥＨＴ−ＳＴＦ３０６が配置される。ＥＨＴ−ＳＴＦは、Ｅｘｔｒｅｍｅｌｙ  Ｈｉｇｈ  Ｔｈｒｏｕｇｈｐｕｔ（ＥＨＴ）  Ｓｈｏｒｔ  Ｔｒａｉｎｉｎｇ  Ｆｉｅｌｄの略であり、ＭＩＭＯ通信における自動利得制御を改善するために用いられる。
【００４４】
そして、ＥＨＴ−ＳＴＦ３０６の直後には、ＥＨＴ−ＬＴＦ３０７が配置される。ＥＨＴ−ＬＴＦは、Ｅｘｔｒｅｍｅｌｙ  Ｈｉｇｈ  Ｔｈｒｏｕｇｈｐｕｔ（ＥＨＴ）  Ｌｏｎｇ  Ｔｒａｉｎｉｎｇ  Ｆｉｅｌｄの略でありＭＩＭＯ通信におけるチャネル推定のために用いられる。
【００４５】
ＥＨＴ−ＬＴＦ３０７の直後にはデータフィールド３０８が配置される。なお、データフィールド３０８の直後に拡張フィールドであるＰａｃｋｅｔ  ｅｘｔｅｎｔｉｏｎ３０９を配置してもよい。データフィールド３０８には、ＥＨＴ−ＳＩＧ−Ａ１のＮＳＴＳ  Ａｎｄ  Ｍｉｄａｍｂｌｅ  Ｐｅｒｉｏｄｉｃｉｔｙフィールドで示されるストリーム数で送信されるＭＩＭＯ通信のデータが含まれる。
【００４６】
ＥＨＴ  ＳＵ  ＰＰＤＵを受信した通信装置は、ＥＨＴ−ＳＩＧ−Ａ１のＮＳＴＳ  Ａｎｄ  Ｍｉｄａｍｂｌｅ  Ｐｅｒｉｏｄｉｃｉｔｙフィールドに基づいてストリーム数を認識する。そして、認識したストリーム数に応じた処理を行うことで、例えば１６ストリームで送信されたＭＩＭＯ通信のデータの受信処理を行う。
【００４７】
次に、図４を用いてＥＨＴ  ＥＲ  ＳＵ  ＰＰＤＵのフレーム構成について説明する。ＥＨＴ  ＥＲ  ＳＵ  ＰＰＤＵも、ＥＨＴ  ＳＵ  ＰＰＤＵと同様の構成を有する。即ち、Ｌ−ＳＴＦ４０１、Ｌ−ＬＴＦ４０２、Ｌ−ＳＩＧ４０３、ＥＨＴ−ＳＩＧ−Ａ４０５、ＥＨＴ−ＳＴＦ４０６、ＨＥ−ＬＴＦ４０７、データフィールド４０８の順にフィールドが配置される。Ｌ−ＳＩＧ４０３とＥＨＴ−ＳＩＧ−Ａ４０５との間に、ＲＬ−ＳＩＧ４０４を配置してもよいのも同様である。また、データフィールド４０８の直後に、Ｐａｃｋｅｔ  ｅｘｔｅｎｔｉｏｎ４０９を配置してもよいのも同様である。また、各フィールドに含まれる情報はＥＨＴ  ＳＵ  ＰＰＤＵの各フィールドに含まれる内容と同じであるので説明を省略する。
【００４８】
次に、これらのフレームを送信、または受信する場合の通信装置の動作について説明する。基地局１０２がＥＨＴ  ＰＰＤＵを送信する場合、基地局１０２の制御部２０２はデータフィールド３０８もしくは４０８に含めるデータを生成する。当該生成は、基地局１０２の記憶部２０１に記憶されたプログラムを制御部２０２が読み出して実行することで実現される。そして、制御部２０２、もしくは、通信部２０６、もしくは、これらの協働により、当該データを含み、上記のＰＨＹプリアンブルを含むフレームが生成される。そして、通信部２０６は生成されたフレームを、アンテナ２０７を介して送信する。
【００４９】
一方、ＳＴＡ１０３の通信部２０６は、基地局１０２から上記のフレーム構成を有するＥＨＴ  ＰＰＤＵを受信する。そして、ＳＴＡ１０３の制御部２０２もしくは通信部２０６は、ＰＨＹプリアンブルのＥＨＴ−ＳＩＧ−Ａ１に含まれるＮＳＴＳ  Ａｎｄ  Ｍｉｄａｍｂｌｅ  Ｐｅｒｉｏｄｉｃｉｔｙフィールドを参照し、データフィールドのストリーム数を認識する。そしてＳＴＡ１０３の通信部２０６は、認識したストリーム数に応じた処理を行うことで、例えば１６ストリームで送信されたＭＩＭＯ通信のデータの受信処理を行う。そして、当該受信処理により得られたデータを、通信部２０６から制御部２０２は取得する。このようにして得られたデータに基づいて、ＳＴＡ１０３の制御部２０２は、出力制御（データの表示や印刷等）等の各種制御を行う。
【００５０】
なお、通信装置である基地局１０２やＳＴＡ１０３〜１０５の他、上記のＰＨＹプリアンブルを生成する情報処理装置（例えば、チップ）で実施することも可能である。この場合、当該情報処理装置は、複数のアンテナに接続可能であることが好ましい。
【００５１】
以上のＥＨＴ  ＰＰＤＵのフレーム構成を用いれば、ストリーム数が９以上であることをＰＨＹフレームにおいて通信できる。なお、上述の説明では、ＥＨＴをＥｘｔｒｅｍｅｌｙ  Ｈｉｇｈ  Ｔｈｒｏｕｇｈｐｕｔの略として説明したが、Ｅｘｔｒｅｍｅ  Ｈｉｇｈ  Ｔｈｒｏｕｇｈｐｕｔの略と解してもよい。
【００５２】
また、ＭＵ  ＭＩＭＯ通信で用いられるＰＰＤＵであるＥＨＴ  ＭＵ  ＰＰＤＵにおけるＰＨＹプリアンブルのＥＨＴ−ＳＩＧ−Ａには、ＮＳＴＳ  Ａｎｄ  Ｍｉｄａｍｂｌｅ  Ｐｅｒｉｏｄｉｃｉｔｙフィールドが存在しないようにしてもよい。即ち、基地局１０２がＥＨＴ  ＭＵ  ＰＰＤＵを送信する場合、該ＥＨＴ  ＭＵ  ＰＰＤＵに含まれるＥＨＴ−ＳＩＧ−Ａにはストリーム数を示す４ビット以上のフィールドは存在しない。また、基地局１０２が送信するビーコンやＰｒｏｂｅ  Ｒｅｓｐｏｎｓｅ信号のＰＨＹプリアンブルには、レガシーフィールドは含まれるもののＥＨＴ−ＳＩＧ−Ａが含まれないようにしてもよい。このように、基地局１０２は送信する信号に応じて、ＥＨＴ−ＳＩＧ−Ａを配置するか否か、そして、ＥＨＴ−ＳＩＧ−Ａの中にストリーム数を示す４ビット以上のフィールドを配置するか否かを切り替えることも可能である。
【００５３】
また、ＥＨＴ−ＳＩＧ−Ａ１およびＡ２のサブフィールドの並び順は、上述の例に限られず、適宜入れ替えることができる。また、ＮＳＴＳ  Ａｎｄ  Ｍｉｄａｍｂｌｅ  Ｐｅｒｉｏｄｉｃｉｔｙフィールド以外のサブフィールドの一部または全部が存在しなくてもよい。なお、Ｄｏｐｐｌｅｒフィールドが存在しない場合には、ＮＳＴＳ  Ａｎｄ  Ｍｉｄａｍｂｌｅ  Ｐｅｒｉｏｄｉｃｉｔｙフィールドは、Ｄｏｐｐｌｅｒフィールドの値が０の場合と同様の定義とすればよい。
【００５４】
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【図１】
2020141324.tif 000005
【図２】
2020141324.tif 000006
【図３】
2020141324.tif 000007
【図４】
2020141324.tif 000008